(57)【特許請求の範囲】
【請求項１】
ディジタル音声放送信号を選択受信する受信部と、
該受信部により受信されたディジタル音声放送信号に基づき、選択されたプログラムデータと制御用情報データとを再生するデータ再生部と、
該データ再生部から得られる選択されたプログラムデータに基づく再生音声信号を形成する音声信号出力部と、
上記データ再生部から得られる制御用情報データが供給され、該制御用情報データに含まれて上記データ再生部から得られる選択されたプログラムデータに含まれるアナウンスメントデータの状況をあらわすフラッグデータの変化に応じて、上記アナウンスメントデータがあらわす複数回繰り返されるアナウンスメントについての周期を検出し、検出された周期に基づき、上記データ再生部において、上記アナウンスメントデータにおける上記アナウンスメントの一周期分もしくは所定の複数周期分をあらわす部分が導出され、導出された上記アナウンスメントデータの部分が上記音声信号出力部による再生音声信号の形成に供される状態を生じさせる制御ユニットと、
を備えて構成される放送信号受信装置。
【請求項２】
上記制御ユニットが、上記フラッグデータにおける第１の変化に応じて、上記アナウンスメントデータがあらわすアナウンスメントの開始時点を検出するとともに、上記フラッグデータにおける第２の変化に応じて、上記アナウンスメントの終了時点を検出し、検出されたアナウンスメントの開始時点及びアナウンスメントの終了時点から、上記アナウンスメントの周期を検出することを特徴とする請求項１記載の放送信号受信装置。
【請求項３】
上記制御ユニットが、上記検出されたアナウンスメントの開始時点及び上記アナウンスメントの一周期分もしくは所定の複数周期分の終了時点に応じて、上記データ再生部において上記アナウンスメントデータにおける上記アナウンスメントの一周期分もしくは所定の複数周期分をあらわす部分が導出される状態を生じさせることを特徴とする請求項２記載の放送信号受信装置。
【請求項４】
上記制御ユニットが、上記フラッグデータとして、上記データ再生部から得られる選択されたプログラムデータに含まれるアナウンスメントデータの内容が新規なものか繰返しのものかを状態変化をもってあらわす特定のフラッグデータを利用することを特徴とする請求項２または３記載の放送信号受信装置。
【請求項５】
上記制御ユニットが、周期が検出されたアナウンスメントについての最新の開始時点から予め定められた複数周期に対応する時間が経過した時点を、上記周期が検出されたアナウンスメントの上記複数周期分の終了時点とすることを特徴とする請求項４記載の放送信号受信装置。
【発明の詳細な説明】
【０００１】
【発明の属する技術分野】
本願の特許請求の範囲に記載された発明は、ディジタル音声放送（ＤＡＢ）のもとにおける放送信号（ディジタル音声放送信号）を受信し、受信されたディジタル音声放送信号から選択されたプログラムデータと制御用情報データとを再生するとともに、再生されたプログラムデータに基づく再生音声信号を得る放送信号受信装置に関する。
【０００２】
【従来の技術】
通常、“ラジオ放送”と呼ばれることが多い音声放送は、長年の間、音声情報信号を振幅変調（ＡＭ）音声信号として送信するＡＭ音声放送，音声情報信号を周波数変調（ＦＭ）音声信号として送信するＦＭ音声放送等のアナログ音声放送とされていたが、近年において、音声放送を、そのもとで送受信される音声情報の品質を向上させるべく、音声情報信号をディジタル音声信号として送信するディジタル音声放送となすことが提案されている。特に、ヨーロッパ地域にあっては、その一部において、ディジタル音声放送が、ＤＡＢ（Digital Audio Broad-casting)と称される放送システムとして、既に実用化されている。
【０００３】
ディジタル音声放送信号は、ディジタル音声信号を形成する音声情報データのみならず、それに加えて、例えば、天気予報，交通情報等を内容とするサービス情報データをも伝送し、さらに、受信側において音声情報データ及びサービス情報データを再生するとともに、音声情報データに基づくディジタル音声信号あるいはサービス情報データに基づくサービスデータを得るに際して必要とされる制御用情報データを伝送する。そして、音声情報データは、通常、複数のプログラムを夫々あらわす複数の音声プログラムデータを含むものとして得られ、これら、複数の音声プログラムデータには、所定のアナウンスメントをあらわすアナウンスメントデータが含まれる。また、サービス情報データも、通常、複数のプログラムを夫々あらわす複数のサービスプログラムデータを含むものとして得られる。
【０００４】
ディジタル音声放送信号により伝送される音声情報データ及びサービス情報データは、伝送にあたって生じるデータビット欠落，データビット変化等に起因する悪影響を最小限に止めるべく、タイム・インターリーブ処理が施されたものとされる。音声情報データ及びサービス情報データは、例えば、２４ｍｓ（２４ミリ秒）の時間長を有したロジカル・フレームと称される単位区分が順次連なる態様をもって伝送されるが、それに施されるタイム・インターリーブ処理は、例えば、連続する１６個のロジカル・フレームをインターリーブ完結区分として行われ、タイム・インターリーブ処理が施された連続する１６個のロジカル・フレーム分の音声情報データ及びサービス情報データは、再び、連続する１６個のロジカル・フレームを形成するものとされる。
【０００５】
このようなディジタル音声放送において送信されるディジタル音声放送信号の受信は、ディジタル音声放送信号受信装置を用いて行われる。ディジタル音声放送信号受信装置にあっては、ディジタル音声放送を行う各放送局により送信されるディジタル音声放送信号が、選局動作によって選択受信され、受信されたディジタル音声放送信号に対する復調処理が行われて、タイム・インターリーブ処理が施された音声情報データ及びサービス情報データと制御用情報データとが得られる。そして、タイム・インターリーブ処理が施された音声情報データ及びサービス情報データに対して、それに施されたタイム・インターリーブ処理を解除して、元の音声情報データ及びサービス情報データとするための、タイム・ディインターリーブ処理が施される。
【０００６】
続いて、制御用情報データが関与するもとで、タイム・ディインターリーブ処理が施された音声情報データ及びサービス情報データに基づく音声プログラムデータとサービスプログラムデータとが個別に得られ、音声プログラムデータについての復号化処理が行われてディジタル音声信号が再生され、そのディジタル音声信号に基づいて再生音声信号が得られるとともに、サービスプログラムデータについての復号化処理が行われて再生サービスデータが得られる。
【０００７】
【発明が解決しようとする課題】
上述の如くのディジタル音声放送信号受信装置により選択受信されるディジタル音声放送信号は、それに基づいて得られる音声情報データが、同一のアナウンスメントについての複数回の繰返しをあらわすアナウンスメントデータを含むとともに、その音声情報データに対応する制御用情報データが、アナウンスメントデータがあらわすアナウンスメントについての各種の情報、例えば、アナウンスメントのタイプ，アナウンスメントの開始時点，アナウンスメントの終了時点，アナウンスメントが新規のものか繰返しのものかの区別等々を伝えるものとされる。それゆえ、ディジタル音声放送信号受信装置において、同一のアナウンスメントについての複数回の繰返しをあらわすアナウンスメントデータとされる音声プログラムデータ及びその前後の音声プログラムデータが選択され、それらに基づく再生音声信号が得られて、その再生音声信号に基づく音声が再生されるようにされると、装置のユーザーは、選択されたプログラムの再生音を聴いているとき割り込んできた同一内容のアナウンスメントを、複数回繰り返して聴くことになり、煩わしを覚えることになってしまう。
【０００８】
このような際には、例えば、装置のユーザーが、割り込んできたアナウンスメントを一回だけ聴き、その後迅速に元の選択されたプログラムを聴く状態に戻ることができるようにされること、あるいは、割り込んできたアナウンスメントを自らが望む回数だけ聴くことができるようにされること、が望まれるところとなるが、従来にあっては、これらのことが可能とされるディジタル音声放送信号受信装置は見当たらない。
【０００９】
斯かる点に鑑み、本願の特許請求の範囲に記載された発明は、ディジタル音声放送信号を選択受信し、受信されたディジタル音声放送信号から音声情報データ及びサービス情報データを含むプログラムデータと制御用情報データとを再生するとともに、再生されたプログラムデータに基づく再生音声信号を得るにあたり、音声情報データが、同一のアナウンスメントについての複数回の繰返しをあらわすアナウンスメントデータとされる音声プログラムデータを含むとともに、その音声情報データに対応する制御用情報データが、アナウンスメントデータがあらわすアナウンスメントについての各種の情報を伝えるものとされるもとにおいて、ユーザーにとって、割り込んできたアナウンスメントを一回だけ聴き、その後迅速に元の状態に戻ること、あるいは、割り込んできたアナウンスメントを自らが望む回数だけ聴くことが可能とされる放送信号受信装置を提供する。
【００１０】
【課題を解決するための手段】
本願の特許請求の範囲における請求項１から請求項５までのいずれかに記載された発明に係る放送信号受信装置は、ディジタル音声放送信号を選択受信する受信部と、受信部により受信されたディジタル音声放送信号に基づき、選択されたプログラムデータと制御用情報データとを再生するデータ再生部と、データ再生部から得られる選択されたプログラムデータに基づく再生音声信号を形成する音声信号出力部と、データ再生部から得られる制御用情報データが供給され、その制御用情報データに含まれてデータ再生部から得られる選択されたプログラムデータに含まれるアナウンスメントデータの状況をあらわすフラッグデータの変化に応じて、アナウンスメントデータがあらわす複数回繰り返されるアナウンスメントについての周期を検出し、検出された周期に基づき、データ再生部において、選択されたプログラムデータに含まれるアナウンスメントデータにおけるアナウンスメントの一周期分もしくは所定の複数周期分をあらわす部分が導出され、導出されたアナウンスメントデータの部分が音声信号出力部による再生音声信号の形成に供される状態を生じさせる制御ユニットと、を備えて構成される。
【００１１】
このように構成される本願の特許請求の範囲における請求項１から請求項５までのいずれかに記載された発明に係る放送信号受信装置にあっては、データ再生部により、ディジタル音声放送信号に基づく選択されたプログラムデータと制御用情報データとが再生されるもとで、制御ユニットにより、制御用情報データに含まれてデータ再生部から得られる選択されたプログラムデータに含まれるアナウンスメントデータの状況をあらわすフラッグデータの変化に応じて、アナウンスメントデータがあらわす複数回繰り返されるアナウンスメントについての周期が検出され、検出された周期に基づき、データ再生部において、選択されたプログラムデータに含まれるアナウンスメントデータにおけるアナウンスメントの一周期分もしくは所定の複数周期分をあらわす部分が導出され、導出されたアナウンスメントデータの部分が音声信号出力部による再生音声信号の形成に供される状態がとられる。
【００１２】
従って、データ再生部における選択されたプログラムデータとしてのアナウンスメントデータの再生にあたり、アナウンスメントデータについてのそれがあらわすアナウンスメントの各周期分が、検出されたアナウンスメントの周期に応じて、任意に再生され得るものとされ、それにより、プログラムデータが、同一のアナウンスメントについての複数回の繰返しをあらわすアナウンスメントデータとされる音声プログラムデータを含むとともに、そのプログラムデータに対応する制御用情報データが、アナウンスメントデータがあらわすアナウンスメントについての各種の情報を伝えるものとされるもとにおいて、再生音声信号に基づく再生音を聴くユーザーにとって、割り込んできたアナウンスメントを一回だけ聴き、その後迅速に元の状態に戻ること、あるいは、割り込んできたアナウンスメントを自らが望む回数だけ聴くこと等が可能とされることになる。
【００１３】
【発明の実施の形態】
図１は、本願の特許請求の範囲における請求項１から請求項５までのいずれかに記載された発明に係る放送信号受信装置の一例を示す。この例にあっては、放送局から送信されて受信アンテナ２１により捉えられたディジタル音声放送信号が、選局受信部２２における選局受信動作によって選択受信される。
【００１４】
選局受信部２２において選択受信されるディジタル音声放送信号は、例えば、ディジタルデータが直交周波数分割多重変調（Orthogonal Frequency Divison   Multiplexing : ＯＦＤＭ）方式により変調されて得られた変調波信号とされ、そのディジタルデータは、伝送フレームと称されるフレーム単位が連なって構成される。
【００１５】
各伝送フレームは、図２のＡに一例が示される如く、例えば、９６ｍｓの時間長を有しており、同期チャンネルの部分，ファスト・インフォーメイション・チャンネル（ＦＩＣ）の部分、及び、メイン・サービス・チャンネル（ＭＳＣ）の部分を含んで形成される。ＭＳＣの部分は、図２のＢに示される如く、複数のコモン・インターリーブドゥ・フレーム（ＣＩＦ）の連なりによって構成されている。各ＣＩＦは、全体が５５，２９６ビットから成り、図２のＣに示される如く、０〜８６３までの合計８６４個のキャパシティ・ユニット（ＣＵ）が連なるものとされる。各キャパシティ・ユニットは６４ビットから成るユニットデータである。そして、このようなＭＳＣによって音声情報データであるプログラム情報データが伝送される。
【００１６】
ＭＳＣによって伝送されるプログラム情報データには、複数の音声プログラムデータと複数のサービスプログラムデータとが含まれる。そして、音声プログラムデータには、例えば、道路交通情報，地域天候情報，催し物情報等々に関する所定のアナウンスメントのためのアナウンスメントデータも含まれる。
【００１７】
また、ＦＩＣの部分は、図２のＢに示される如く、複数のファスト・インフォーメイション・ブロック（ＦＩＢ）の連なりによって構成されている。各ＦＩＢは、図２のＣに示される如く、２５６ビットから成り、ＦＩＢデータフィールドとエラー検出用ワードＣＲＣ（Cyclic Redundancy Check)とを含んでいる。さらに、各ＦＩＢデータフィールドは、図２のＤに示される如く、複数のファスト・インフォーメイション・グループ（ＦＩＧ）の連なりによって構成されており、各ＦＩＧは、図２のＥに示される如く、ＦＩＧヘッダとＦＩＧデータフィールドとを含んでいる。そして、このようなＦＩＣによって、多重構成情報（ Multi- plex Configuration Information :ＭＣＩ）及びその他の情報等をあらわす制御用情報データが伝送される。
【００１８】
このようなＦＩＣによって伝送される制御用情報データには、ＭＳＣによって伝送されるプログラム情報データに含まれるアナウンスメントデータに関するもの、例えば、アナウンスメントデータの開始時点，終了時点，アナウンスメントデータの内容が新規なものか繰返しのものか等々をあらわす複数のフラッグデータが含まれる。例えば、ＦＩＣを構成する複数のＦＩＧのうちの“ type 0, Ex-tension 19”と称されるもの (Extension 19 of FIG type 0 (FIG 0/19))により、ＭＳＣによって伝送されるプログラム情報データに含まれるアナウンスメントデータの伝送期間には“１”をとり、その他の期間において“０”をとるアナウンスメント・スイッチ・フラッグデータ（ＡＳフラッグデータ）と、ＭＳＣによって伝送されるプログラム情報データに含まれるアナウンスメントデータの内容が新規なものであるとき“１”をとり、ＭＳＣによって伝送されるプログラム情報データに含まれるアナウンスメントデータの内容が繰返しのものであるとき“０”をとるニューフラッグデータとが伝送される。さらに、ＦＩＣを構成する複数のＦＩＧのうちの他のものにより、ＭＳＣによって伝送されるプログラム情報データに含まれるアナウンスメントデータに関する他のフラッグデータが伝送される。
【００１９】
上述のＡＳフラッグデータもしくはニューフラッグデータが“０”から“１”に変化する時点は、ＭＳＣによって伝送されるプログラム情報データに含まれるアナウンスメントデータがあらわすアナウンスメントの開始時点に対応し、また、ＡＳフラッグデータもしくはニューフラッグデータが“１”から“０”に変化する時点は、ＭＳＣによって伝送されるプログラム情報データに含まれるアナウンスメントデータがあらわすアナウンスメントの終了時点に対応することになる。
【００２０】
選局受信部２２における選局動作は、動作制御部を形成する制御ユニット５０から供給される選局制御信号ＣＣＨに応じた選局制御、さらには、データ再生部２３に連結された同期制御信号形成部２４から供給される同期制御信号ＳＳＹに応じた周波数同期制御のもとに行われる。そして、選局受信部２２においては、選択受信されたディジタル音声放送信号に対する増幅処理，周波数変換処理等が行われて、選択受信されたディジタル音声放送信号についての中間周波数（ＩＦ）信号ＳＩＤが形成され、そのＩＦ信号ＳＩＤがデータ再生部２３に供給される。
【００２１】
データ再生部２３においては、選局受信部２２からのＩＦ信号ＳＩＤがアナログ／ディジタル（Ａ／Ｄ）変換部２５に供給され、Ａ／Ｄ変換部２５からＩＦ信号ＳＩＤに対応するディジタルＩＦ信号ＤＩＤが得られて、それが直交復調部２６に供給される。直交復調部２６においては、ディジタルＩＦ信号ＤＩＤに対して直交復調処理が施され、それにより、直交復調出力信号ＤＱＸが得られる。
【００２２】
直交復調部２６から得られる直交復調出力信号ＤＱＸは、高速フーリエ変換（ＦＦＴ）差動復調部２７に供給される。ＦＦＴ差動復調部２７においては、直交復調出力信号ＤＱＸについての時間ドメイン信号から周波数ドメイン信号への変換が行われ、ＦＦＴ差動復調部２７からは、直交復調出力信号ＤＱＸの各伝送フレームにおける同期チャンネルによって伝送される同期情報をあらわす同期情報データＤＲＳが得られるとともに、直交復調出力信号ＤＱＸの各伝送フレームにおけるＦＩＣ（ファスト・インフォーメイション・チャンネル）により伝送される制御用情報データとＭＳＣ（メイン・サービス・チャンネル）により伝送されるプログラム情報データとが形成する複合データＤＣＸが得られる。
【００２３】
ＦＦＴ差動復調部２７から得られる同期情報データＤＲＳは、同期制御信号形成部２４に供給されて、同期制御信号形成部２４における同期制御信号ＳＳＹの形成に供される。また、ＦＦＴ差動復調部２７から得られる複合データＤＣＸは、周波数ディインターリーブ部２８において、周波数インターリーブ状態を解除するための周波数ディインターリーブ処理が施されて複合データＤＣＸ’とされた後、プログラム選択部２９に供給される。
【００２４】
プログラム選択部２９には、制御ユニット５０からのプログラム選択制御信号ＣＰＲも供給される。そして、プログラム選択部２９においては、複合データＤＣＸ’を形成するＭＳＣにより伝送されたプログラム情報データとＦＩＣにより伝送された制御用情報データとが分離され、プログラム選択制御信号ＣＰＲに応じて、分離されたプログラム情報データに含まれる複数の音声プログラムデータのうちの一つもしくは複数のサービスプログラムのうちの一つを選択するプログラム選択が行われて、選択された音声プログラムデータもしくはサービスプログラムデータである選択されたプログラムデータＤＰＤが得られるとともに、分離された制御用情報データが、制御用情報データＤＣＤとして得られる。
【００２５】
このようにして、プログラム選択部２９において得られる選択されたプログラムデータＤＰＤは、タイム・インタリーブ処理が施されたものとされている。斯かるプログラムデータＤＰＤは、コモン・インターリーブドゥ・フレーム（ＣＩＦ）に対応し、例えば、２４ｍｓの時間長を有したロジカル・フレームが順次連なって構成されていて、それに施されたタイム・インターリーブ処理は、例えば、連続する１６個のロジカル・フレームをインターリーブ完結区分として行われている。各ロジカル・フレームは、ユニットデータを形成するキャパシティ・ユニット（ＣＵ）が８６４個連なって構成される。
【００２６】
そして、プログラム選択部２９から得られるプログラムデータＤＰＤは、タイム・ディインターリーブ部３０に供給される。タイム・ディインターリーブ部３０は、プログラムデータＤＰＤに、タイム・インターリーブ処理を施す。その際には、例えば、先ず、プログラムデータＤＰＤが形成する順次連なるロジカル・フレームのうちの、各インターリーブ完結区分を成す連続する１６個から成る組の夫々について、１６個のロジカル・フレームの各々における複数のキャパシティ・ユニットが、順次、タイム・ディインターリーブ部３０に内蔵されたメモリに書き込まれて格納される。
【００２７】
続いて、１６個のロジカル・フレームの各々における複数のキャパシティ・ユニット全部がメモリに格納された後に、メモリに格納された複数のキャパシティ・ユニットが、予め設定された所定の読出態様をもってメモリから読み出され、順次連なる１６個の新たなロジカル・フレームにおけるプログラムデータＤＰＤ’を形成すべく取り出される。その結果、タイム・ディインターリーブ部３０においては、タイム・インターリーブ処理を解除するタイム・ディインターリーブ処理が施された選択された音声プログラムデータもしくはサービスプログラムデータとされる選択されたプログラムデータＤＰＤ’が得られ、それがビタビ復号部３１に供給される。
【００２８】
一方、プログラム選択部２９から得られる制御用情報データＤＣＤは、直接にビタビ復号部３１に供給される。ビタビ復号部３１においては、プログラム選択部２９からの制御用情報データＤＣＤ及びタイム・ディインターリーブ部３０からのプログラムデータＤＰＤ’についての、尤最復号手法によるエラー訂正処理が行われる。その結果、ビタビ復号部３１から、エラー訂正処理が施された選択されたプログラムデータＤＰＤ’及びエラー訂正処理がなされた制御用情報データＤＣＤが得られる。
【００２９】
このようにして、Ａ／Ｄ変換部２５からビタビ復号部３１までを含んで構成されるデータ再生部２３は、選局受信部２２により受信されたディジタル音声放送信号に基づき、選択されたプログラムデータＤＰＤ’と制御用情報データＤＣＤとを再生する動作を行う。そして、データ再生部２３におけるビタビ復号部３１から得られる選択されたプログラムデータＤＰＤ’が、データ選択部３２に供給されるとともに、データ再生部２３におけるビタビ復号部３１から得られる制御用情報データＤＣＤが、制御ユニット５０に供給される。
【００３０】
データ選択部３２からは、ビタビ復号部３１からのエラー訂正処理がなされた選択されたプログラムデータＤＰＤ’が音声プログラムデータであるとき音声プログラムデータＤＡＤが導出され、また、ビタビ復号部３１からのエラー訂正処理がなされたプログラムデータＤＰＤ’がサービスプログラムデータであるときサービスプログラムデータＤＳＤが導出される。
【００３１】
データ選択部３２から導出される音声プログラムデータＤＡＤは、高能率復号化部３３に供給される。高能率復号化部３３においては、音声プログラムデータＤＡＤに対する高能率復号化処理が行われて、高能率符号化処理により圧縮されたデータが伸長され、復号化された音声データＤＡが得られる。また、高能率復号化部３３からは、音声プログラムデータＤＡＤに含まれたプログラム関連データＤＰＡが得られて制御ユニット５０に供給される。
【００３２】
音声プログラムデータＤＡＤに含まれたプログラム関連データＤＰＡは、例えば、図３に示される如くに、音声プログラムデータＤＡＤが形成する音声フレームにおける音声データに続く部分に配された不定長プログラム関連データＸ−ＰＡＤと固定長プログラム関連データＦ−ＰＡＤとを含むものとされる。なお、図３に示される音声フレーム中のＳｃＦ−ＣＲＣは、図示されていないが音声フレーム中に含まれるスケールファクタデータ用のエラー検出用ワードである。
【００３３】
高能率復号化部３３から得られる復号化された音声データＤＡは、ディジタル／アナログ（Ｄ／Ａ）変換部３４に供給されてアナログ化され、Ｄ／Ａ変換部３４において音声データＤＡに対応する再生音声信号ＳＡが形成される。そして、Ｄ／Ａ変換部３４において得られた再生音声信号ＳＡが出力端子３５に導出される。このようなもとで、高能率復号化部３３及びＤ／Ａ変換部３４は、データ選択部３２から導出された音声プログラムデータＤＡＤに基づく再生音声信号ＳＡを得る音声信号出力部を構成している。
【００３４】
出力端子３５に導出される再生音声信号ＳＡは、例えば、スピーカ等を含んで構成される音声再生部に供給されて、音声プログラムデータＤＡＤがあらわす音声情報に基づく音声の再生に供される。音声プログラムデータＤＡＤがアナウンスメントデータとされる場合には、音声再生部からそのアナウンスメントデータがあらわすアナウンスメントが発せられる。
【００３５】
また、データ選択部３２から導出されるサービスプログラムデータＤＳＤは、復号化部３６に供給される。復号化部３６においては、サービスプログラムデータＤＳＤに対する復号化処理が行われて、サービスプログラムデータＤＳＤに基づく再生サービスデータＤＳが得られる。そして、復号化部３６から得られる再生サービスデータＤＳが出力端子３７に導出される。
【００３６】
制御ユニット５０は、ビタビ復号部３１からの制御用情報データＤＣＤ，高能率復号化部３３からのプログラム関連データＤＰＡ、さらには、遠隔操作制御部４０からの遠隔制御信号ＳＲを受ける受信部４１からの遠隔制御信号ＳＲに応じた制御コマンドＣＲ、もしくは、入力操作部４２からのそれにおける操作に応じた制御コマンドＣＸ等に応じて、選局制御信号ＣＣＨ，プログラム選択制御信号ＣＰＲ、さらには、制御データＤＶＤを形成し、選局制御信号ＣＣＨを選局受信部２２に、プログラム選択制御信号ＣＰＲをプログラム選択部２９に、さらには、制御データＤＶＤをビタビ復号部３１に夫々供給して、選局受信部２２，プログラム選択部２９及びビタビ復号部３１に対する動作制御を行う。プログラム選択部２９に対するプログラム選択制御信号ＣＰＲの送出は、制御ユニット５０に内蔵されたプログラム選択管理部によって行われる。
【００３７】
ビタビ復号部３１から制御ユニット５０に供給される制御用情報データＤＣＤは、ＦＩＣにより伝送されるデータであって、ＦＩＣを構成する複数のＦＩＧのうちの“ type 0, Extension 19 ” (FIG 0/19) によって伝送されるＡＳフラッグデータ及びニューフラッグデータ、さらには、他のフラッグデータを含んでいる。ＡＳフラッグデータは、プログラムデータＤＰＤ’に含まれるアナウンスメントデータの伝送期間には“１”をとり、その他の期間において“０”をとるフラッグデータであり、また、ニューフラッグデータは、プログラムデータＤＰＤ’に含まれるアナウンスメントデータの内容が新規なものであるとき“１”をとり、プログラムデータＤＰＤ’に含まれるアナウンスメントデータの内容が繰返しのものであるとき“０”をとるフラッグデータである。
【００３８】
制御ユニット５０においては、ビタビ復号部３１からの制御用情報データＤＣＤが、内蔵されたアナウンス情報管理部に供給される。アナウンス情報管理部は、制御用情報データＤＣＤに含まれるＡＳフラッグデータ及びニューフラッグデータを検出し、検出されたＡＳフラッグデータ及びニューフラッグデータを、アナウンス周期管理部に送出する。また、アナウンス情報管理部は、アナウンス選択管理部から、プログラム選択部２９におけるアナウンスメントデータについての選択状況をあらわすアナウンス選択状況データを受け、それに基づいてプログラム選択部２９におけるアナウンスメントデータについての選択状況を把握する。
【００３９】
アナウンス周期管理部は、アナウンス情報管理部からのＡＳフラッグデータ及びニューフラッグデータに基づいて、プログラムデータＤＰＤ’に含まれるアナウンスメントデータがあらわす新規なアナウンスメントの開始時点及び終了時点を検出して内蔵メモリに記憶するとともに、プログラムデータＤＰＤ’に含まれるアナウンスメントデータがあらわす新規なアナウンスメントの周期の検出を行って、検出されたアナウンスメントの周期を内蔵メモリに記憶する。また、それとともに、周期が検出されたアナウンスメントの１周期分もしくは所定の複数周期分についての開始時点及び終了時点をアナウンス選択管理部に通知する。
【００４０】
斯かる際において、アナウンス周期管理部は、先ず、アナウンス情報管理部からのＡＳフラッグデータが“１”であって、プログラムデータＤＰＤ’に含まれるアナウンスメントデータの伝送期間中であるか、ＡＳフラッグデータが“０”であって、プログラムデータＤＰＤ’に含まれるアナウンスメントデータの伝送期間中でないかを検知する。そして、ＡＳフラッグデータが“０”である場合には、アナウンスメントの開始時点を検出するためのアナウンスメント開始時点検出待ち状態をとって、ＡＳフラッグデータが“１”となる状態を待つ。
【００４１】
一方、ＡＳフラッグデータが“１”である場合、あるいは、ＡＳフラッグデータが“０”から“１”になった場合には、アナウンス情報管理部からのニューフラッグデータが“０”から“１”に変化する時点を捉えて、プログラムデータＤＰＤ’に含まれるアナウンスメントデータがあらわす新規なアナウンスメントの開始時点を検出するとともに、それを検出されたアナウンスメント開始時点として内蔵メモリに記憶し、その後、アナウンスメントの終了時点を検出するためのアナウンスメント終了時点検出待ち状態をとって、ニューフラッグデータが“１”から“０”に変化する時点を待つ。そして、ニューフラッグデータが“１”から“０”に変化する時点を捉えて、プログラムデータＤＰＤ’に含まれるアナウンスメントデータがあらわす新規なアナウンスメントの終了時点を検出するとともに、それを検出されたアナウンスメント終了時点として内蔵メモリに記憶する。そして、検出されたアナウンスメント開始時点とアナウンスメント終了時点とから、当該新規なアナウンスメントの周期を検出し、それを検出されたアナウンスメント周期として内蔵メモリに記憶し、その後、アナウンスメント開始・終了時点通知待ち状態をとる。
【００４２】
続いて、アナウンス周期管理部は、アナウンスメント開始・終了時点通知待ち状態のもとで、プログラムデータＤＰＤ’に含まれるアナウンスメントデータにおける周期が検出されたアナウンスメントをあらわす所定の部分、例えば、複数回繰り返されるアナウンスメントに関してその一周期分もしくは所定の複数周期分をあらわす部分の取出しを行うべく、当該周期が検出されたアナウンスメントの一周期分もしくは所定の複数周期分についての開始時点と終了時点とを、検出されたアナウンスメント開始時点，アナウンスメント終了時点及びアナウンスメント周期とを用いて設定し、設定された開始時点及び終了時点を夫々あらわすアナウンスメント開始時点データ及びアナウンスメント終了時点データを形成して、それらをアナウンス選択管理部に送出し、それにより、周期が検出されたアナウンスメントの一周期分もしくは所定の複数周期分についての開始時点と終了時点とをアナウンス選択管理部に通知する。
【００４３】
アナウンス選択管理部は、アナウンス周期管理部からアナウンスメント開始時点データ及びアナウンスメント終了時点データが供給されたもとで、それらのアナウンスメント開始時点データ及びアナウンスメント終了時点データに夫々基づき、周期が検出されたアナウンスメントをあらわすアナウンスメントデータの所定の部分、即ち、複数回繰り返されるアナウンスメントについての一周期分もしくは所定の複数周期分をあらわす部分についての選択を開始すべき時点及び終了すべき時点を夫々あらわすアナウンスメント選択開始データ及びアナウンスメント選択終了データを形成して、それらをアナウンス情報管理部に送出する。
【００４４】
アナウンス選択管理部からのアナウンスメント選択開始データ及びアナウンスメント選択終了データを受けたアナウンス情報管理部は、周期が検出されたアナウンスメントをあらわすアナウンスメントデータを特定するアナウンスメント特定データを、アナウンスメント選択開始データがあらわす時点からアナウンスメント選択終了データがあらわす時点までの期間、プログラム選択管理部に送出する。
【００４５】
アナウンス情報管理部からのアナウンス特定データを受けたプログラム選択管理部は、プログラム選択部２９に供給されるプログラム選択制御信号ＣＰＲを、プログラム選択部２９に、アナウンスメント特定データにより特定されるアナウンスメントデータを、アナウンスメント選択開始データがあらわす時点からアナウンスメント選択終了データがあらわす時点までの期間だけ、選択して取り出す動作を行わせるものに変化させる。それにより、プログラム選択部２９から得られるプログラムデータＤＰＤが、アナウンス選択管理部からアナウンス情報管理部に供給されるアナウンスメント選択開始データがあらわす時点からアナウンス選択管理部からアナウンス情報管理部に供給されるアナウンスメント選択終了データがあらわす時点までの期間においては、アナウンス情報管理部からプログラム選択管理部に供給されるアナウンスメント特定データにより特定されるアナウンスメントデータとされる。
【００４６】
さらに、プログラム選択管理部は、アナウンスメント選択終了データがあらわす時点が経過すると、プログラム選択部２９に供給されるプログラム選択制御信号ＣＰＲを、アナウンスメント選択開始データがあらわす時点前の状態に戻し、その旨をアナウンス情報管理部に知らせる。それにより、プログラム選択部２９から得られるプログラムデータＤＰＤが、アナウンスメントデータとされる前のものに復帰せしめられる。
【００４７】
このようなプログラム選択管理部の動作により、プログラム選択部２９から所定の音声プログラムデータがプログラムデータＤＰＤとて得られているもとで、その所定の音声プログラムデータに代わって、例えば、複数回繰り返されるアナウンスメントをあらわすアナウンスメントデータにおける、当該アナウンスメントの一周期分もしくは所定の複数周期分をあらわす部分が、プログラムデータＤＰＤとして得られる状態がとられ、その後、再び、プログラム選択部２９から元の所定のプログラムデータＤＰＤが得られる状態に戻されることになる。その結果、例えば、スピーカ等を含んで構成される音声再生部を用いて、出力端子３５に導出される再生音声信号ＳＡに基づく再生音声を聴くユーザーは、選択されたアナウンスメントをその一周期分あるいは所定の複数周期分だけ聴くことができ、その後、再びアナウンスメントを聴く前の状態に復帰できることになる。
【００４８】
図４は、上述の如くの制御ユニット５０におけるアナウンス周期管理部が、アナウンスメントの周期の検出及び周期が検出されたアナウンスメントの一周期分もしくは所定の複数周期分についての開始時点と終了時点との通知にあたって実行する、制御プログラムの一例をあらわすフローチャートを示す。
【００４９】
図４に示されるフローチャートにあっては、スタート後、ステップ５１において、ＡＳフラッグデータが“１”であるか否かを判断し、ＡＳフラッグデータが“１”でない場合には、ステップ５２において、アナウンスメント開始時点検出待ち状態にあるか否かを判断する。その結果、アナウンスメント開始時点検出待ち状態にない場合には、ステップ５３において、アナウンスメント開始時点検出待ち状態としてステップ５１に戻り、また、アナウンスメント開始時点検出待ち状態にある場合には、ステップ５２から直接ステップ５１に戻る。
【００５０】
一方、ステップ５１での判断の結果、ＡＳフラッグデータが“１”である場合には、ステップ５４において、アナウンスメント開始時点検出待ち状態にあるか否かを判断し、アナウンスメント開始時点検出待ち状態にある場合には、ステップ５５において、ニューフラッグデータが“０”から“１”に変化したか否かを判断する。その結果、ニューフラッグデータが“０”から“１”に変化していないときには、ステップ５５からステップ５１に戻る。それに対して、ステップ５５での判断の結果、ニューフラッグデータが“０”から“１”に変化したときには、ステップ５６において、ニューフラッグデータが“０”から“１”に変化した時点をアナウンスメントの開始時点として検出し、検出された開始時点をアナウンスメント開始時点として内蔵メモリに記憶する。そして、続くステップ５７において、アナウンスメント終了時点検出待ち状態に移行し、その後ステップ５１に戻る。
【００５１】
また、ステップ５４での判断の結果、アナウンスメント開始時点検出待ち状態にない場合には、ステップ５８において、アナウンスメント終了時点検出待ち状態にあるか否かを判断し、アナウンスメント終了時点検出待ち状態にある場合には、ステップ５９において、ニューフラッグデータが“１”から“０”に変化したか否かを判断する。その結果、ニューフラッグデータが“１”から“０”に変化していないときには、ステップ５５からステップ５１に戻る。それに対して、ステップ５９での判断の結果、ニューフラッグデータが“１”から“０”に変化したときには、ステップ６０において、ニューフラッグデータが“１”から“０”に変化した時点をアナウンスメントの終了時点として検出し、検出された終了時点をアナウンスメント終了時点として内蔵メモリに記憶する。
【００５２】
続いて、ステップ６１において、ステップ５６において内蔵メモリに記憶されたアナウンスメント開始時点とステップ６０において内蔵メモリに記憶されたアナウンスメント終了時点とから、アナウンスメントの周期を検出し、検出された周期をアナウンスメント周期として内蔵メモリに記憶する。そして、続くステップ６２において、アナウンスメント開始・終了時点通知待ち状態に移行し、その後ステップ５１に戻る。
【００５３】
さらに、ステップ５８での判断の結果、アナウンスメント終了時点検出待ち状態にない場合には、ステップ６３において、アナウンスメント開始・終了時点通知待ち状態にあるか否かを判断し、アナウンスメント開始・終了時点通知待ち状態にある場合には、ステップ６４において、アナウンスメントの開始時点からステップ６１において記憶されたアナウンスメント周期に対応する時間が経過したか否かを判断する。その結果、アナウンスメントの開始時点からアナウンスメント周期に対応する時間が経過していない場合には、ステップ６４からステップ５１に戻る。それに対して、アナウンスメントの開始時点からアナウンスメント周期に対応する時間が経過した場合には、ステップ６５において、周期が検出されたアナウンスメントの新たな開始時点をあらわすアナウンスメント開始時点データをアナウンス選択管理部に送出する。
【００５４】
続いて、ステップ６６において、周期が検出されたアナウンスメントについての最新の開始時点からステップ６１において記憶されたアナウンスメント周期のｎ個分（ｎは正整数）、即ち、ｎ周期に対応する時間が経過したか否かを判断する。その結果、周期が検出されたアナウンスメントについての最新の開始時点からアナウンスメントのｎ周期に対応する時間が経過していない場合には、ステップ６６での判断を繰り返す。そして、ステップ６６での判断の結果、周期が検出されたアナウンスメントについての最新の開始時点からアナウンスメントのｎ周期に対応する時間が経過した場合には、ステップ６７において、周期が検出されたアナウンスメントのｎ周期の終了時点をあらわすアナウンスメント終了時点データをアナウンス選択管理部に送出して、ステップ６８に進む。
【００５５】
一方、ステップ６３での判断の結果、アナウンスメント開始・終了時点通知待ち状態にない場合には、ステップ６３から直接にステップ６８に進む。
【００５６】
そして、ステップ６８において、アナウンスメント開始時点検出待ち状態に移行し、その後ステップ５１に戻る。
【００５７】
上述の例にあっては、制御ユニット５０におけるアナウンス周期管理部が、アナウンスメントの周期を検出した後、周期が検出されたアナウンスメントの一周期分もしくは所定の複数周期分についての開始時点と終了時点とをアナウンス選択管理部に通知するようにされているが、制御ユニット５０におけるアナウンス周期管理部が、アナウンスメントの周期を検出した後、周期が検出されたアナウンスメントの一周期分もしくは所定の複数周期分についての開始時点だけをアナウンス選択管理部に通知するようにされてもよい。
【００５８】
【発明の効果】
以上の説明から明らかな如く、本願の特許請求の範囲における請求項１から請求項５までのいずれかに記載された発明に係る放送信号受信装置によれば、データ再生部により、ディジタル音声放送信号に基づく選択されたプログラムデータと制御用情報データとが再生されるもとで、制御ユニットにより、制御用情報データに含まれてデータ再生部から得られる選択されたプログラムデータに含まれるアナウンスメントデータの状況をあらわすフラッグデータの変化に応じて、アナウンスメントデータがあらわす複数回繰り返されるアナウンスメントについての周期が検出され、検出された周期に基づき、データ再生部において、選択されたプログラムデータに含まれるアナウンスメントデータにおけるアナウンスメントの一周期分もしくは所定の複数周期分をあらわす部分が導出され、導出されたアナウンスメントデータの部分が音声信号出力部による再生音声信号の形成に供される状態がとられるので、データ再生部における選択されたプログラムデータとしてのアナウンスメントデータの導出にあたり、アナウンスメントデータについてのそれがあらわすアナウンスメントの各周期分が、検出されたアナウンスメントの周期に応じて、任意に取り出され得るものとされ、その取り出されたアナウンスメントの各周期分に基づく再生音声信号が形成されることになる。
【００５９】
従って、プログラムデータが、同一のアナウンスメントについての複数回の繰返しをあらわすアナウンスメントデータ含むとともに、そのプログラムデータに対応する制御用情報データが、アナウンスメントデータがあらわすアナウンスメントについての各種の情報を伝えるものとされるもとにおいて、再生音声信号に基づく再生音を聴くユーザーにとって、割り込んできたアナウンスメントを一回だけ聴き、その後迅速に元の状態に戻ること、あるいは、割り込んできたアナウンスメントを自らが望む回数だけ聴いて元の状態に戻ること等が可能とされることになる。
【図面の簡単な説明】
【図１】  本願の特許請求の範囲における請求項１から請求項５までのいずれかに記載された発明に係る放送信号受信装置の一例を示すブロック構成図である。
【図２】  図１に示される例により受信されるディジタル音声放送信号の説明に供される信号フォーマットである。
【図３】  図１に示される例において得られる音声プログラムデータの説明に供されるデータフォーマットである。
【図４】  図１に示される例における制御ユニットが、アナウンスメントの周期の検出及び周期が検出されたアナウンスメントの一周期分もしくは所定の複数周期分についての開始時点と終了時点との通知にあたって実行する、制御プログラムの一例をあらわすフローチャートである。
【符号の説明】
２１・・・受信アンテナ，  ２２・・・選局受信部，  ２３・・・データ再生部，  ２４・・・同期制御信号形成部，  ２５・・・Ａ／Ｄ変換部，  ２６・・・直交復調部，  ２７・・・ＦＦＴ差動復調部，  ２８・・・周波数ディインターリーブ部，  ２９・・・プログラム選択部，  ３０・・・タイム・ディインターリーブ部，  ３１・・・ビタビ復号部，  ３２・・・データ選択部，  ３３・・・高能率復号化部，  ３４・・・Ｄ／Ａ変換部，  ３６・・・復号化部，  ４０・・・遠隔操作制御部，  ４１・・・受信部，  ４２・・・入力操作部，  ５０・・・制御ユニット
【図１】
0004126803.tif 000002
【図２】
0004126803.tif 000003
【図３】
0004126803.tif 000004
【図４】
0004126803.tif 000005